(57)【要約】【課題】  自治体が保有する住民情報を用いて利用者の確認を行う利用情報登録システムおよび利用情報登録方法を提供する。【解決手段】  ユーザ端末２は利用者の登録情報を入力して認証サーバ３に送信し、認証サーバ３はユーザ端末２から受信した登録情報に基づく住民情報の検索依頼を住民情報システム１に送信し、住民情報システム１は住民情報データベース１４を登録情報に基づき検索して検索結果を認証サーバ３に送信し、認証サーバ３は住民情報システム１から受信した検索結果を基に利用者の存在チェックを行い、存在チェックで問題がない場合に図書館システム４に登録情報を送信し、図書館システム４は利用者識別子を生成して登録情報と共に図書館情報として図書館情報データベース４４に登録し、利用証引替書を作成してユーザ端末２に送信し、利用証を作成して図書館端末５に送信する。【選択図】      図１
2008134810.tif 000002
【特許請求の範囲】
【請求項１】
利用者登録情報を認証システムに送信するユーザ端末と、
前記ユーザ端末から前記利用者登録情報を受信して住民情報データベースを検索照合して利用者を認証し、認証結果に問題がなければ前記利用者登録情報をサービス提供システムに送信する認証システムと、
前記認証システムから前記利用者登録情報を受信して利用者情報データベースに登録すると共に利用証を発行するサービス提供システムとを備える、
ことを特徴とする利用情報登録システム。
【請求項２】
前記ユーザ端末は、
認証情報と利用者変更情報とを入力して前記認証システムに送信する手段を含み、
前記認証システムは、
前記ユーザ端末から受信した前記認証情報の照合依頼を前記サービス提供システムに送信し、前記サービス提供システムから照合結果を受信する手段と、
前記ユーザ端末から受信した前記利用者変更情報を基に前記住民情報データベースを検索照合する手段と、
前記認証情報の照合結果および前記利用者変更情報の照合結果に問題がなければ、前記利用者変更情報を前記サービス提供システムに送信する手段とを含み、
前記サービス提供システムは、
前記認証システムから前記認証情報を受信して前記利用者情報データベースを検索照合し、前記認証システムに照合結果を送信する手段と、
前記認証システムから前記利用者変更情報を受信して利用者情報データベースに登録すると共に利用証を発行する手段とを含む、
ことを特徴とする請求項１記載の利用情報登録システム。
【請求項３】
前記サービス提供システムは、
図書の閲覧／貸出／予約サービスを行う手段を有する図書館システムから成る、
ことを特徴とする請求項１または請求項２記載の利用情報登録システム。
【請求項４】
ユーザ端末と認証サーバと住民情報システムと図書館システムと図書館端末とを備える利用情報登録システムであって、
前記ユーザ端末は、
前記図書館システムを利用する利用者の登録情報を入力して前記認証サーバに送信する手段と、
前記図書館システムから利用証引替書を受信する手段とを含み、
前記認証サーバは、
前記ユーザ端末から前記登録情報を受信し、前記登録情報に基づく住民情報の検索依頼を前記住民情報システムに送信し、前記住民情報システムから受信した検索結果を基に利用者の存在チェックを行う手段と、
前記存在チェックで問題ない場合に、前記図書館システムに登録情報を送信する手段とを含み、
前記住民情報システムは、
前記認証サーバから前記登録情報に基づく住民情報の検索依頼を受信し、前記登録情報に基づき住民情報データベースを検索し、一致する住民情報が存在するか否かを確認して検索結果を前記認証サーバに送信する手段と、
住民情報が予め格納されている住民情報データベースとを含み、
前記図書館システムは、
前記認証サーバから前記登録情報を受信し、利用者識別子を生成して前記登録情報と共に図書館情報として図書館情報データベースに登録する手段と、
登録した前記図書館情報を基に利用証引替書を作成して前記ユーザ端末に送信する手段と、
登録した前記図書館情報を基に利用証を作成して前記図書館端末に送信する手段と、
図書館情報を格納する図書館情報データベースとを含み、
前記図書館端末は、
前記図書館システムから利用証を受信して記憶装置に保管する手段と、
前記利用証引替書を入力し、入力した前記利用証引替書に対応する保管している利用証を読み出して発行する手段とを含む、
ことを特徴とする利用情報登録システム。
【請求項５】
前記ユーザ端末は、
前記図書館システムを利用する利用者の更新情報および認証情報を入力して前記認証サーバに送信する手段を含み、
前記認証サーバは、
前記ユーザ端末から受信した前記認証情報に基づく図書館情報の検索依頼を前記図書館システムに送信し、前記図書館システムから受信した検索結果を基に利用者の存在チェックを行う手段と、
前記存在チェックで問題がない場合、前記ユーザ端末から受信した前記更新情報に基づく住民情報の検索依頼を前記住民情報システムに送信し、前記住民情報システムから受信した検索結果を基に更新情報との整合チェックを行う手段と、
前記整合チェックで問題ない場合に、前記図書館システムに前記更新情報を送信する手段とを含み、
前記住民情報システムは、
前記認証サーバから前記更新情報に基づく住民情報の検索依頼を受信し、前記更新情報に基づき前記住民情報データベースを検索し、一致する住民情報が存在するか否かを確認して検索結果を前記認証サーバに送信する手段を含み、
前記図書館システムは、
前記認証サーバから前記認証情報に基づく図書館情報の検索依頼を受信し、前記認証情報に基づき前記図書館情報データベースを検索し、一致する図書館情報が存在するか否かを確認して検索結果を前記認証サーバに送信する手段と、
前記認証サーバから受信した前記更新情報を基に前記図書館情報データベースの図書館情報を更新する手段と、
更新した前記図書館情報を基に利用証引替書を作成して前記ユーザ端末に送信する手段と、
更新した前記図書館情報を基に利用証を作成して前記図書館端末に送信する手段とを含む、
ことを特徴とする請求項４記載の利用情報登録システム。
【請求項６】
ユーザ端末と認証システムとサービス提供システムとを含む利用情報登録システムにおける利用情報登録方法であって、
前記ユーザ端末は
利用者登録情報を認証システムに送信し、
前記認証システムは、
前記ユーザ端末から前記利用者登録情報を受信して住民情報データベースを検索照合して利用者を認証し、
認証結果に問題がなければ前記利用者登録情報をサービス提供システムに送信し、
前記サービス提供システムは、
前記認証システムから前記利用者登録情報を受信して利用者情報データベースに登録すると共に利用証を発行する、
ことを特徴とする利用情報登録方法。
【請求項７】
前記ユーザ端末は、
認証情報と利用者変更情報とを入力して前記認証システムに送信し、
前記認証システムは、
前記ユーザ端末から受信した前記認証情報の照合依頼を前記サービス提供システムに送信し、
前記サービス提供システムは、
前記認証システムから前記認証情報を受信して前記利用者情報データベースを検索照合し、
照合結果を前記認証システムに送信し、
前記認証システムは、
前記サービス提供システムから照合結果を受信し、
前記ユーザ端末から受信した前記利用者変更情報を基に前記住民情報データベースを検索照合し、
前記認証情報の照合結果および前記利用者変更情報の照合結果に問題がなければ、前記利用者変更情報を前記サービス提供システムに送信し、
前記サービス提供システムは、
前記認証システムから前記利用者変更情報を受信して利用者情報データベースに登録すると共に利用証を発行する、
ことを特徴とする請求項６記載の利用情報登録方法。
【請求項８】
ユーザ端末と認証サーバと住民情報システムと図書館システムと図書館端末とを備える利用情報登録システムにおける利用情報登録方法であって、
前記ユーザ端末は、
前記図書館システムを利用する利用者の登録情報を入力して前記認証サーバに送信し、
前記認証サーバは、
前記ユーザ端末から前記登録情報を受信し、前記登録情報に基づく住民情報の検索依頼を前記住民情報システムに送信し、
前記住民情報システムは、
前記認証サーバから前記登録情報に基づく住民情報の検索依頼を受信し、
住民情報が予め格納されている住民情報データベースを前記登録情報に基づき検索し、
一致する住民情報が存在するか否かを確認して検索結果を前記認証サーバに送信し、
前記認証サーバは、
前記住民情報システムから受信した検索結果を基に利用者の存在チェックを行い、
前記存在チェックで問題がない場合に、前記図書館システムに登録情報を送信し、
前記図書館システムは、
前記認証サーバから前記登録情報を受信し、
利用者識別子を生成して前記登録情報と共に図書館情報として図書館情報データベースに登録し、
登録した前記図書館情報を基に利用証引替書を作成して前記ユーザ端末に送信し、
登録した前記図書館情報を基に利用証を作成して前記図書館端末に送信し、
前記ユーザ端末は、
前記図書館システムから利用証引替書を受信し、
前記図書館端末は、
前記図書館システムから利用証を受信して記憶装置に保管し、
入力された前記利用証引替書に対応する保管している利用証を読み出して発行する、
ことを特徴とする利用情報登録方法。
【請求項９】
前記ユーザ端末は、
前記図書館システムを利用する利用者の更新情報および認証情報を入力して前記認証サーバに送信し、
前記認証サーバは、
前記ユーザ端末から受信した前記認証情報に基づく図書館情報の検索依頼を前記図書館システムに送信し、
前記図書館システムは、
前記認証サーバから前記認証情報に基づく図書館情報の検索依頼を受信し、
前記認証情報に基づき前記図書館情報データベースを検索し、一致する図書館情報が存在するか否かを確認して検索結果を前記認証サーバに送信し、
前記認証サーバは、
前記図書館システムから受信した検索結果を基に利用者の存在チェックを行い、
前記存在チェックで問題がない場合、前記ユーザ端末から受信した前記更新情報に基づく住民情報の検索依頼を前記住民情報システムに送信し、
前記住民情報システムは、
前記認証サーバから前記更新情報に基づく住民情報の検索依頼を受信し、
前記更新情報に基づき前記住民情報データベースを検索し、一致する住民情報が存在するか否かを確認して検索結果を前記認証サーバに送信し、
前記認証サーバは、
前記住民情報システムから受信した検索結果を基に更新情報との整合チェックを行い、
前記整合チェックで問題ない場合に、前記図書館システムに前記更新情報を送信し、
前記図書館システムは、
前記認証サーバから受信した前記更新情報を基に前記図書館情報データベースの図書館情報を更新し、
更新した前記図書館情報を基に利用証引替書を作成して前記ユーザ端末に送信し、
更新した前記図書館情報を基に利用証を作成して前記図書館端末に送信する、
ことを特徴とする請求項８記載の利用情報登録方法。
【請求項１０】
ユーザ端末とサービス提供システムとを含む利用情報登録システムにおける認証システムであって、
前記ユーザ端末から利用者登録情報を受信して住民情報データベースを検索照合して利用者を認証する手段と、
認証結果に問題がなければ、前記利用者登録情報を前記サービス提供システムに送信する手段とを含む、
ことを特徴とする認証システム。
【請求項１１】
前記ユーザ端末から受信した前記認証情報の照合依頼を前記サービス提供システムに送信する手段と、
前記サービス提供システムから照合結果を受信する手段と、
前記ユーザ端末から受信した前記利用者変更情報を基に前記住民情報データベースを検索照合する手段と、
前記認証情報の照合結果および前記利用者変更情報の照合結果に問題がなければ、前記利用者変更情報を前記サービス提供システムに送信する手段とを含む、
ことを特徴とする請求項１０記載の認証システム。
【請求項１２】
ユーザ端末と住民情報システムと図書館システムと図書館端末とを含む利用情報登録システムにおける認証サーバであって、
前記ユーザ端末から登録情報を受信し、前記登録情報に基づく住民情報の検索依頼を前記住民情報システムに送信し、前記住民情報システムから受信した検索結果を基に利用者の存在チェックを行う手段と、
前記存在チェックで問題がない場合に、前記図書館システムに登録情報を送信する手段とを含む、
ことを特徴とする認証サーバ。
【請求項１３】
前記ユーザ端末から受信した認証情報に基づく図書館情報の検索依頼を前記図書館システムに送信し、前記図書館システムから受信した検索結果を基に利用者の存在チェックを行う手段と、
前記存在チェックで問題がない場合、前記ユーザ端末から受信した更新情報に基づく住民情報の検索依頼を前記住民情報システムに送信し、前記住民情報システムから受信した検索結果を基に更新情報との整合チェックを行う手段と、
前記整合チェックで問題がない場合に、前記図書館システムに前記更新情報を送信する手段とを含む、
ことを特徴とする請求項１２記載の認証サーバ。
【請求項１４】
ユーザ端末とサービス提供システムとを含む利用情報登録システムにおける認証システムのプログラムであって、
コンピュータに、
前記ユーザ端末から利用者登録情報を受信して住民情報データベースを検索照合して利用者を認証する処理と、
認証結果に問題がなければ前記利用者登録情報を前記サービス提供システムに送信する処理と、
を行わせることを特徴とするプログラム。
【請求項１５】
前記ユーザ端末から受信した前記認証情報の照合依頼を前記サービス提供システムに送信する処理と、
前記サービス提供システムから照合結果を受信する処理と、
前記ユーザ端末から受信した前記利用者変更情報を基に前記住民情報データベースを検索照合する処理と、
前記認証情報の照合結果および前記利用者変更情報の照合結果に問題がなければ、前記利用者変更情報を前記サービス提供システムに送信する処理と、
を行わせることを特徴とする請求項１４記載のプログラム。
【請求項１６】
ユーザ端末と住民情報システムと図書館システムと図書館端末とを含む利用情報登録システムにおける認証サーバのプログラムであって、
認証サーバに、
前記ユーザ端末から登録情報を受信し、前記登録情報に基づく住民情報の検索依頼を前記住民情報システムに送信し、前記住民情報システムから受信した検索結果を基に利用者の存在チェックを行う処理と、
前記存在チェックで問題がない場合に、前記図書館システムに登録情報を送信する処理と、
を行わせることを特徴とするプログラム。
【請求項１７】
前記ユーザ端末から受信した認証情報に基づく図書館情報の検索依頼を前記図書館システムに送信し、前記図書館システムから受信した検索結果を基に利用者の存在チェックを行う処理と、
前記存在チェックで問題がない場合、前記ユーザ端末から受信した更新情報に基づく住民情報の検索依頼を前記住民情報システムに送信し、前記住民情報システムから受信した検索結果を基に更新情報との整合チェックを行う処理と、
前記整合チェックで問題がない場合に、前記図書館システムに前記更新情報を送信する処理と、
を行わせることを特徴とする請求項１６記載のプログラム。
【発明の詳細な説明】
【技術分野】
【０００１】
本発明は、利用情報登録システムおよび利用情報登録方法ならびに認証システム，認証サーバおよびそれらのプログラムに関し、特に、自治体が保有する住民情報を用いて利用者の確認を行う利用情報登録システムおよび利用情報登録方法ならびに認証システム，認証サーバおよびそれらのプログラムに関する。
【背景技術】
【０００２】
従来の図書館利用システムの一例が、特許文献１に記載されている。特許文献１に記載の図書館における閲覧管理システムは、サーバ装置と業務データベースと図書館員側クライアント装置と利用者側クライアント装置と検索データベースとを備え、以下のように動作する。
【０００３】
まず、利用者情報登録手段は利用者情報を業務データベースに登録する。利用者情報には利用者ＩＤ，氏名，利用者区分および利用者にかけられているペナルティ等を含む。
【０００４】
次に、利用者は図書館の貸出カウンタに利用者が有する利用者証と貸出を希望する資料とを持参する。利用者ＩＤ認識手段は利用者証から利用者ＩＤを認識し、利用者情報検索手段は認識された利用者ＩＤに応じた利用者情報を業務データベースから検索し、その利用者の利用者区分や現在のペナルティ状況などの情報を参照する。資料ＩＤ認識手段は貸出を希望する資料から資料ＩＤを認識し、目録情報検索手段は認識された資料ＩＤに基づいて業務データベースを検索し、その資料の貸出区分や所在情報を参照する。貸出情報生成手段は利用者情報検索手段により検索された利用者情報と目録情報検索手段により検索された目録情報とに基づき貸出情報を生成し、貸出情報登録手段は生成した貸出情報を業務データベースに登録している。
【０００５】
なお、利用者情報の登録に際しては、利用者が利用申請書を記入し、本人が持参した証明書（免許証や住民票等）により本人確認を行っている。
【０００６】
【特許文献１】特開２００３−９１６２１号公報
【発明の開示】
【発明が解決しようとする課題】
【０００７】
しかしながら、上述した従来の技術においては、利用者情報の登録に際し、本人が持参した証明書（免許証や住民票等）により本人確認を行っているため、ユーザ端末から利用者情報の登録ができないという問題点があった。
【０００８】
本発明の目的は、上述した従来の課題を解決する利用情報登録システムおよび利用情報登録方法ならびに認証システム，認証サーバおよびそれらのプログラムを提供することにある。
【課題を解決するための手段】
【０００９】
本発明の第１の利用情報登録システムは、利用者登録情報を認証システムに送信するユーザ端末と、前記ユーザ端末から前記利用者登録情報を受信して住民情報データベースを検索照合して利用者を認証し、認証結果に問題がなければ前記利用者登録情報をサービス提供システムに送信する認証システムと、前記認証システムから前記利用者登録情報を受信して利用者情報データベースに登録すると共に利用証を発行するサービス提供システムとを備える、ことを特徴とする。
【００１０】
本発明の第２の利用情報登録システムは、第１の利用情報登録システムにおいて、前記ユーザ端末は、認証情報と利用者変更情報とを入力して前記認証システムに送信する手段を含み、前記認証システムは、前記ユーザ端末から受信した前記認証情報の照合依頼を前記サービス提供システムに送信し、前記サービス提供システムから照合結果を受信する手段と、前記ユーザ端末から受信した前記利用者変更情報を基に前記住民情報データベースを検索照合する手段と、前記認証情報の照合結果および前記利用者変更情報の照合結果に問題がなければ、前記利用者変更情報を前記サービス提供システムに送信する手段とを含み、前記サービス提供システムは、前記認証システムから前記認証情報を受信して前記利用者情報データベースを検索照合し、前記認証システムに照合結果を送信する手段と、前記認証システムから前記利用者変更情報を受信して利用者情報データベースに登録すると共に利用証を発行する手段とを含む、ことを特徴とする。
【００１１】
本発明の第３の利用情報登録システムは、第１または第２の利用情報登録システムにおいて、前記サービス提供システムは、図書の閲覧／貸出／予約サービスを行う手段を有する図書館システムから成る、ことを特徴とする。
【００１２】
本発明の第４の利用情報登録システムは、ユーザ端末と認証サーバと住民情報システムと図書館システムと図書館端末とを備える利用情報登録システムであって、前記ユーザ端末は、前記図書館システムを利用する利用者の登録情報を入力して前記認証サーバに送信する手段と、前記図書館システムから利用証引替書を受信する手段とを含み、前記認証サーバは、前記ユーザ端末から前記登録情報を受信し、前記登録情報に基づく住民情報の検索依頼を前記住民情報システムに送信し、前記住民情報システムから受信した検索結果を基に利用者の存在チェックを行う手段と、前記存在チェックで問題ない場合に、前記図書館システムに登録情報を送信する手段とを含み、前記住民情報システムは、前記認証サーバから前記登録情報に基づく住民情報の検索依頼を受信し、前記登録情報に基づき住民情報データベースを検索し、一致する住民情報が存在するか否かを確認して検索結果を前記認証サーバに送信する手段と、住民情報が予め格納されている住民情報データベースとを含み、前記図書館システムは、前記認証サーバから前記登録情報を受信し、利用者識別子を生成して前記登録情報と共に図書館情報として図書館情報データベースに登録する手段と、登録した前記図書館情報を基に利用証引替書を作成して前記ユーザ端末に送信する手段と、登録した前記図書館情報を基に利用証を作成して前記図書館端末に送信する手段と、図書館情報を格納する図書館情報データベースとを含み、前記図書館端末は、前記図書館システムから利用証を受信して記憶装置に保管する手段と、前記利用証引替書を入力し、入力した前記利用証引替書に対応する保管している利用証を読み出して発行する手段とを含む、ことを特徴とする。
【００１３】
本発明の第５の利用情報登録システムは、第４の利用情報登録システムにおいて、前記ユーザ端末は、前記図書館システムを利用する利用者の更新情報および認証情報を入力して前記認証サーバに送信する手段を含み、前記認証サーバは、前記ユーザ端末から受信した前記認証情報に基づく図書館情報の検索依頼を前記図書館システムに送信し、前記図書館システムから受信した検索結果を基に利用者の存在チェックを行う手段と、前記存在チェックで問題がない場合、前記ユーザ端末から受信した前記更新情報に基づく住民情報の検索依頼を前記住民情報システムに送信し、前記住民情報システムから受信した検索結果を基に更新情報との整合チェックを行う手段と、前記整合チェックで問題ない場合に、前記図書館システムに前記更新情報を送信する手段とを含み、前記住民情報システムは、前記認証サーバから前記更新情報に基づく住民情報の検索依頼を受信し、前記更新情報に基づき前記住民情報データベースを検索し、一致する住民情報が存在するか否かを確認して検索結果を前記認証サーバに送信する手段を含み、前記図書館システムは、前記認証サーバから前記認証情報に基づく図書館情報の検索依頼を受信し、前記認証情報に基づき前記図書館情報データベースを検索し、一致する図書館情報が存在するか否かを確認して検索結果を前記認証サーバに送信する手段と、前記認証サーバから受信した前記更新情報を基に前記図書館情報データベースの図書館情報を更新する手段と、更新した前記図書館情報を基に利用証引替書を作成して前記ユーザ端末に送信する手段と、更新した前記図書館情報を基に利用証を作成して前記図書館端末に送信する手段とを含む、ことを特徴とする。
【００１４】
本発明の第１の利用情報登録方法は、ユーザ端末と認証システムとサービス提供システムとを含む利用情報登録システムにおける利用情報登録方法であって、前記ユーザ端末は利用者登録情報を認証システムに送信し、前記認証システムは、前記ユーザ端末から前記利用者登録情報を受信して住民情報データベースを検索照合して利用者を認証し、認証結果に問題がなければ前記利用者登録情報をサービス提供システムに送信し、前記サービス提供システムは、前記認証システムから前記利用者登録情報を受信して利用者情報データベースに登録すると共に利用証を発行する、ことを特徴とする。
【００１５】
本発明の第２の利用情報登録方法は、第１の利用情報登録方法において、前記ユーザ端末は、認証情報と利用者変更情報とを入力して前記認証システムに送信し、前記認証システムは、前記ユーザ端末から受信した前記認証情報の照合依頼を前記サービス提供システムに送信し、前記サービス提供システムは、前記認証システムから前記認証情報を受信して前記利用者情報データベースを検索照合し、照合結果を前記認証システムに送信し、前記認証システムは、前記サービス提供システムから照合結果を受信し、前記ユーザ端末から受信した前記利用者変更情報を基に前記住民情報データベースを検索照合し、前記認証情報の照合結果および前記利用者変更情報の照合結果に問題がなければ、前記利用者変更情報を前記サービス提供システムに送信し、前記サービス提供システムは、前記認証システムから前記利用者変更情報を受信して利用者情報データベースに登録すると共に利用証を発行する、ことを特徴とする。
【００１６】
本発明の第３の利用情報登録方法は、ユーザ端末と認証サーバと住民情報システムと図書館システムと図書館端末とを備える利用情報登録システムにおける利用情報登録方法であって、前記ユーザ端末は、前記図書館システムを利用する利用者の登録情報を入力して前記認証サーバに送信し、前記認証サーバは、前記ユーザ端末から前記登録情報を受信し、前記登録情報に基づく住民情報の検索依頼を前記住民情報システムに送信し、前記住民情報システムは、前記認証サーバから前記登録情報に基づく住民情報の検索依頼を受信し、住民情報が予め格納されている住民情報データベースを前記登録情報に基づき検索し、一致する住民情報が存在するか否かを確認して検索結果を前記認証サーバに送信し、前記認証サーバは、前記住民情報システムから受信した検索結果を基に利用者の存在チェックを行い、前記存在チェックで問題がない場合に、前記図書館システムに登録情報を送信し、前記図書館システムは、前記認証サーバから前記登録情報を受信し、利用者識別子を生成して前記登録情報と共に図書館情報として図書館情報データベースに登録し、登録した前記図書館情報を基に利用証引替書を作成して前記ユーザ端末に送信し、登録した前記図書館情報を基に利用証を作成して前記図書館端末に送信し、前記ユーザ端末は、前記図書館システムから利用証引替書を受信し、前記図書館端末は、前記図書館システムから利用証を受信して記憶装置に保管し、入力された前記利用証引替書に対応する保管している利用証を読み出して発行する、ことを特徴とする。
【００１７】
本発明の第４の利用情報登録方法は、第３の利用情報登録方法において、前記ユーザ端末は、前記図書館システムを利用する利用者の更新情報および認証情報を入力して前記認証サーバに送信し、前記認証サーバは、前記ユーザ端末から受信した前記認証情報に基づく図書館情報の検索依頼を前記図書館システムに送信し、前記図書館システムは、前記認証サーバから前記認証情報に基づく図書館情報の検索依頼を受信し、前記認証情報に基づき前記図書館情報データベースを検索し、一致する図書館情報が存在するか否かを確認して検索結果を前記認証サーバに送信し、前記認証サーバは、前記図書館システムから受信した検索結果を基に利用者の存在チェックを行い、前記存在チェックで問題がない場合、前記ユーザ端末から受信した前記更新情報に基づく住民情報の検索依頼を前記住民情報システムに送信し、前記住民情報システムは、前記認証サーバから前記更新情報に基づく住民情報の検索依頼を受信し、前記更新情報に基づき前記住民情報データベースを検索し、一致する住民情報が存在するか否かを確認して検索結果を前記認証サーバに送信し、前記認証サーバは、前記住民情報システムから受信した検索結果を基に更新情報との整合チェックを行い、前記整合チェックで問題ない場合に、前記図書館システムに前記更新情報を送信し、前記図書館システムは、前記認証サーバから受信した前記更新情報を基に前記図書館情報データベースの図書館情報を更新し、更新した前記図書館情報を基に利用証引替書を作成して前記ユーザ端末に送信し、更新した前記図書館情報を基に利用証を作成して前記図書館端末に送信する、ことを特徴とする。
【００１８】
本発明の第１の認証システムは、ユーザ端末とサービス提供システムとを含む利用情報登録システムにおける認証システムであって、前記ユーザ端末から利用者登録情報を受信して住民情報データベースを検索照合して利用者を認証する手段と、認証結果に問題がなければ、前記利用者登録情報を前記サービス提供システムに送信する手段とを含む、ことを特徴とする。
【００１９】
本発明の第２の認証システムは、第１の認証システムにおいて、前記ユーザ端末から受信した前記認証情報の照合依頼を前記サービス提供システムに送信する手段と、前記サービス提供システムから照合結果を受信する手段と、前記ユーザ端末から受信した前記利用者変更情報を基に前記住民情報データベースを検索照合する手段と、前記認証情報の照合結果および前記利用者変更情報の照合結果に問題がなければ、前記利用者変更情報を前記サービス提供システムに送信する手段とを含む、ことを特徴とする。
【００２０】
本発明の第１の認証サーバは、ユーザ端末と住民情報システムと図書館システムと図書館端末とを含む利用情報登録システムにおける認証サーバであって、前記ユーザ端末から登録情報を受信し、前記登録情報に基づく住民情報の検索依頼を前記住民情報システムに送信し、前記住民情報システムから受信した検索結果を基に利用者の存在チェックを行う手段と、前記存在チェックで問題がない場合に、前記図書館システムに登録情報を送信する手段とを含む、ことを特徴とする。
【００２１】
本発明の第２の認証サーバは、第１の認証サーバにおいて、前記ユーザ端末から受信した認証情報に基づく図書館情報の検索依頼を前記図書館システムに送信し、前記図書館システムから受信した検索結果を基に利用者の存在チェックを行う手段と、前記存在チェックで問題がない場合、前記ユーザ端末から受信した更新情報に基づく住民情報の検索依頼を前記住民情報システムに送信し、前記住民情報システムから受信した検索結果を基に更新情報との整合チェックを行う手段と、前記整合チェックで問題がない場合に、前記図書館システムに前記更新情報を送信する手段とを含む、ことを特徴とする。
【００２２】
本発明の第１のプログラムは、ユーザ端末とサービス提供システムとを含む利用情報登録システムにおける認証システムのプログラムであって、コンピュータに、前記ユーザ端末から利用者登録情報を受信して住民情報データベースを検索照合して利用者を認証する処理と、認証結果に問題がなければ前記利用者登録情報を前記サービス提供システムに送信する処理と、を行わせることを特徴とする。
【００２３】
本発明の第２のプログラムは、第１のプログラムにおいて、前記ユーザ端末から受信した前記認証情報の照合依頼を前記サービス提供システムに送信する処理と、前記サービス提供システムから照合結果を受信する処理と、前記ユーザ端末から受信した前記利用者変更情報を基に前記住民情報データベースを検索照合する処理と、前記認証情報の照合結果および前記利用者変更情報の照合結果に問題がなければ、前記利用者変更情報を前記サービス提供システムに送信する処理と、を行わせることを特徴とする。
【００２４】
本発明の第３のプログラムは、ユーザ端末と住民情報システムと図書館システムと図書館端末とを含む利用情報登録システムにおける認証サーバのプログラムであって、認証サーバに、前記ユーザ端末から登録情報を受信し、前記登録情報に基づく住民情報の検索依頼を前記住民情報システムに送信し、前記住民情報システムから受信した検索結果を基に利用者の存在チェックを行う処理と、前記存在チェックで問題がない場合に、前記図書館システムに登録情報を送信する処理と、を行わせることを特徴とする。
【００２５】
本発明の第４のプログラムは、第３のプログラムにおいて、前記ユーザ端末から受信した認証情報に基づく図書館情報の検索依頼を前記図書館システムに送信し、前記図書館システムから受信した検索結果を基に利用者の存在チェックを行う処理と、前記存在チェックで問題がない場合、前記ユーザ端末から受信した更新情報に基づく住民情報の検索依頼を前記住民情報システムに送信し、前記住民情報システムから受信した検索結果を基に更新情報との整合チェックを行う処理と、前記整合チェックで問題がない場合に、前記図書館システムに前記更新情報を送信する処理と、を行わせることを特徴とする。
【発明の効果】
【００２６】
本発明は、利用者が本人確認の証明書を持参して提出することなく、ユーザ端末から利用者情報を登録できるという効果を有している。
【００２７】
その理由は、ユーザ端末から送信された利用者情報を自治体が保有する住民情報と照合して利用者確認を行うようにしたからである。
【発明を実施するための最良の形態】
【００２８】
本発明の特徴について説明する。
【００２９】
本発明は、利用者情報を認証システムに送信し、認証システムは住民情報が予め格納されている住民情報データベースを参照して利用者情報と照合し、照合結果に問題がなければ利用者情報をサービス提供システムに送信し、サービス提供システムは受信した利用者情報を利用者データベースに登録すると共に利用証を発行することで、利用手続きに必要な労力および時間を軽減できることを特徴としている。
【００３０】
以下に、本発明を実施するための最良の形態について説明する。本発明を実施するための最良の形態では、上記の認証システムを認証サーバと住民情報システムとで構成し、サービス提供システムを図書館システムと図書館端末とで構成している。
【００３１】
先ず、本発明の第１の実施の形態について説明する。本発明の第１の実施の形態は、図書館を利用する利用者の情報を新規に登録する場合の形態である。
【００３２】
本発明の第１の実施の形態の構成について、図面を参照して詳細に説明する。
【００３３】
図１を参照すると、本発明の第１の実施の形態は、住民情報システム１と、ユーザ端末２と、認証サーバ３と、図書館システム４と、図書館端末５とを備えている。
【００３４】
住民情報システム１とユーザ端末２とはインターネット６に接続し、図書館システム４と図書館端末５とはイントラネット７に接続している。また、認証サーバ３はインターネット６とイントラネット７とに接続している。
【００３５】
住民情報システム１は、自治体が管理する、プログラム制御で動作する情報処理装置で、例えばサーバ装置である。住民情報システム１は、図２に示すように、受信手段１１と、住民情報確認手段１２と、送信手段１３と、住民情報データベース１４と、を有している。
【００３６】
受信手段１１は、認証サーバ３から登録情報に基づく住民情報の検索依頼を受信する。
【００３７】
住民情報確認手段１２は、登録情報（氏名，性別，生年月日，住所，住民票コード等を含む）に基づき住民情報データベース１４を検索し、一致する住民情報（氏名，性別，生年月日，住民票コード等）が存在するか否かを確認する。
【００３８】
送信手段１３は、住民情報確認手段１２での確認結果を認証サーバ３に送信する。
【００３９】
住民情報データベース１４は、自治体に属する住民の住民情報を予め格納している。住民情報には、図７に例示するように、氏名，性別，生年月日，住所，住民票コード，更新履歴情報を含む。
【００４０】
ユーザ端末２は、図書館の利用者が管理する、プログラム制御で動作する情報処理装置で、例えばパーソナルコンピュータである。ユーザ端末２は、図３に示すように、登録情報入力手段２１と、送信手段２２と、受信手段２３と、を有している。
【００４１】
登録情報入力手段２１は、図書館システム４を利用する利用者の登録情報を入力する。入力した登録情報には、氏名，性別，生年月日，住所，住民票コード，電話番号およびパスワード等を含む。
【００４２】
送信手段２２は、入力された登録情報を認証サーバ３に送信する。
【００４３】
受信手段２３は、図書館システム４から利用証引替書を受信して記憶装置（図示せず）に保管する。利用者は、受信した利用証引替書を印刷装置（図示せず）により印刷し、印刷した利用証引替書を図書館端末５に持参して利用証と引き替える。また、受信した利用証引替書を電子メール等を用いて図書館端末５に送信しておき、図書館端末５に行って利用証を受け取るようにしてもよい。更に、図書館端末５から利用証を送信してもらうようにしてもよい。
【００４４】
認証サーバ３は、プログラム制御で動作する情報処理装置であり、例えばサーバ装置である。ユーザの登録情報に対して住民情報システム１の情報を基に本人確認を行う。認証サーバ３は、図４に示すように、受信手段３１と、利用者確認手段３２と、送信手段３３と、を有している。
【００４５】
受信手段３１は、ユーザ端末２から登録情報を受信する。
【００４６】
利用者確認手段３２は、登録情報（氏名，性別，生年月日，住所，住民票コード等を含む）と共に住民情報システム１に対して住民情報の検索依頼を送信し、住民情報システム１から受信した検索結果を基に、利用者の存在チェックを行う。
【００４７】
送信手段３３は、存在チェックで問題がない場合に（登録情報に該当する住民が住民情報システム１の住民情報データベース１４に存在した場合に）、図書館システム４へ登録情報を送信する。送信する登録情報には、氏名，性別，生年月日，住所，電話番号，住民票コード，パスワードを含む。
【００４８】
図書館システム４は、図書館が管理する、プログラム制御で動作する情報処理装置で、例えばサーバ装置である。図書館システム４は、図５に示すように、受信手段４１と、登録手段４２と、送信手段４３と、図書館情報データベース４４と、を有している。
【００４９】
受信手段４１は、認証サーバ３から登録情報を受信する。
【００５０】
登録手段４２は、利用者ＩＤ（識別子）を生成し、生成した利用者ＩＤと受信した登録情報とを基に図書館情報データベース４４への図書館情報登録処理を行う。利用者ＩＤは、利用者を一意に識別できる情報で、例えば一連番号である。登録する図書館情報には、利用者ＩＤ，氏名，性別，生年月日，住所，電話番号，住民票コード，パスワードを含む。また、登録した図書館情報を基に利用証引替書および利用証を作成する。利用証引替書には、利用者ＩＤおよび氏名等を記載する。利用証には、利用者ＩＤおよび氏名等を含んでいる。
【００５１】
送信手段４３は、ユーザ端末２に利用証引替書を送信する。また、図書館端末５に利用証を送信する。
【００５２】
図書館情報データベース４４は、図書館情報を格納する。図書館情報には、図８に例示するように、利用者ＩＤ，氏名，性別，生年月日，住所，電話番号，住民票コード，パスワードを含む。
【００５３】
また、図書館システム４は、所有する図書ごとに管理状態を記憶する図書データベース（図示せず）と、利用者から指定された図書について図書データベースを検索して閲覧／貸出／予約サービスを行うと共に図書データベース上の管理状態を更新する図書サービス管理手段（図示せず）とを有する。
【００５４】
図書館端末５は、図書館が管理する、プログラム制御で動作する情報処理装置で、例えばパーソナルコンピュータである。図書館端末５は、図６に示すように、受信手段５１と、入力手段５２と、利用証発行手段５３と、を有している。
【００５５】
受信手段５１は、図書館システム４から利用証を受信して記憶装置（図示せず）に保存する。
【００５６】
入力手段５２は、利用証引替書を入力する。例えば、利用証引替書に記載されている利用者ＩＤを入力する。
【００５７】
利用証発行手段５３は、利用証引替書（例えば、利用者ＩＤ）に対応する利用証を記憶装置（図示せず）から読み出して発行する。例えば、印刷装置により利用証を印刷する。
【００５８】
このとき、入力手段５２でパスワードも入力するようにし、入力されたパスワードが図書館情報データベース４４に保持されるパスワードと一致したときのみ利用証を発行するようにしてもよい。
【００５９】
本発明の第１の実施の形態の動作について、図面を参照して詳細に説明する。
【００６０】
図９を参照すると、利用者の登録情報（氏名，性別，生年月日，住所，住民票コード，電話番号等）をユーザ端末２から入力し、送信すると、認証サーバ３が登録情報を受信する（ステップＡ１）。
【００６１】
認証サーバ３は、住民情報システム１上の情報（氏名，性別，生年月日，住民票コード）での検索・存在チェックを行う（ステップＡ２）。
【００６２】
存在チェックで問題がない場合（ステップＡ３の”ＹＥＳ”）、図書館システム４へ登録情報を送信し、図書館システム４が登録処理を行う（ステップＡ４）。
【００６３】
図書館システム４で登録されたあと、ユーザ端末２には利用証引替書を送信し、図書館端末５上で利用証を発行する（ステップＡ５）。
【００６４】
利用者は、利用証引替書を持参して図書館端末の設置場所に出向き、利用証引替書を示して利用証を受け取る。利用者は、図書館利用時に利用証を提示して、サービスを受ける。
【００６５】
存在チェックでエラーとなった場合は（ステップＡ３の”ＮＯ”）、ユーザ端末２へ入力エラーのメッセージを返し、再入力を指示する（ステップＡ６）。
【００６６】
以上により、本発明の第１の実施の形態の動作が完了する。
【００６７】
本発明の第１の実施の形態は、利用者が本人確認の証明書を持参して提出することなく、ユーザ端末から利用者情報を登録できるという効果を有している。
【００６８】
その理由は、ユーザ端末から送信された利用者情報を自治体が保有する住民情報と照合して利用者確認を行うようにしたからである。
【００６９】
また、本発明の第１の実施の形態は、利用者情報の登録申請に待ち時間を必要としないという効果を有している。
【００７０】
その理由は、ユーザ端末からインターネット経由で利用者情報（登録情報）を送信するようにしたからである。
【００７１】
また、本発明の第１の実施の形態は、利用者情報（登録情報）に記載ミスがなくなるという効果を有している。
【００７２】
その理由は、利用者情報（登録情報）を自治体が保有する住民情報と照合してチェックするようにしたからである。
【００７３】
続いて、本発明の第２の実施の形態について説明する。本発明の第２の実施の形態は、図書館を利用する利用者の登録情報を更新する場合の形態である。
【００７４】
本発明の第２の実施の形態の構成について、図面を参照して詳細に説明する。
【００７５】
図１０を参照すると、本発明の第２の実施例は、住民情報システム１０と、ユーザ端末２０と、認証サーバ３０と、図書館システム４０と、図書館端末５０とを備えている。
【００７６】
住民情報システム１０とユーザ端末２０とはインターネット６に接続し、図書館システム４０と図書館端末５０とはイントラネット７に接続している。また、認証サーバ３０はインターネット６とイントラネット７とに接続している。
【００７７】
住民情報システム１０は、第１の実施例における住民情報システム１の機能に加え、以下に説明する機能を備えている。住民情報システム１０は、図１１に示すように、受信手段１０１と、住民情報確認手段１０２と、送信手段１３と、住民情報データベース１４と、を有している。
【００７８】
受信手段１０１は、認証サーバ３から更新情報に基づく住民情報の検索依頼を受信する。
【００７９】
住民情報確認手段１０２は、更新情報（氏名，性別，生年月日，住所，住民票コード等を含む）に基づき住民情報データベース１４を検索し、一致する住民情報（氏名，性別，生年月日，住民票コード等）が存在するか否かを確認する。
【００８０】
送信手段１３と、住民情報データベース１４とは、第１の実施例と同等である。
【００８１】
ユーザ端末２０は、第１の実施例におけるユーザ端末２の機能に加え、以下に説明する機能を備えている。ユーザ端末２０は、図１２に示すように、更新情報入力手段２０１と、認証情報入力手段２０２と、送信手段２０３と、受信手段２３と、を有している。
【００８２】
更新情報入力手段２０１は、図書館システム４０を利用する利用者の更新情報を入力する。更新情報として、氏名，性別，生年月日，住所，住民票コードあるいは電話番号等で更新する情報を入力する。
【００８３】
認証情報入力手段２０２は、認証情報（利用者ＩＤおよびパスワード）を入力する。
【００８４】
送信手段２０３は、入力された更新情報ならびに認証情報を認証サーバ３０に送信する。
【００８５】
受信手段２３は、図書館システム４０から利用証引替書を受信する。
【００８６】
認証サーバ３０は、第１の実施例における認証サーバ３の機能に加え、以下に説明する機能を備えている。ユーザの入力情報に対して住民情報システム１０と図書館システム４０の情報を基に本人確認を行う。認証サーバ３０は、図１３に示すように、受信手段３０１と、利用者確認手段３０２と、送信手段３０３と、を有している。
【００８７】
受信手段３０１は、ユーザ端末２０から更新情報ならびに認証情報を受信する。
【００８８】
利用者確認手段３０２は、認証情報（利用者ＩＤおよびパスワード）と共に図書館システム４０に対して図書館情報の検索依頼を送信し、図書館システム４０から受信した検索結果を基に、利用者の存在チェックを行う。存在チェックで問題がない場合（認証情報に該当する利用者が図書館システム４０の図書館情報データベース４４に存在した場合に）、更新情報（氏名，住所等を含む）と共に住民情報システム１０に対して住民情報の検索依頼を送信し、住民情報システム１０から受信した検索結果を基に、整合チェックを行う。
【００８９】
送信手段３０３は、整合チェックで問題がない場合に（更新情報に該当する住民が住民情報システム１０の住民情報データベース１４に存在した場合に）、図書館システム４０へ更新情報を送信する。
【００９０】
図書館システム４０は、第１の実施例における図書館システム４の機能に加え、以下に説明する機能を備えている。図書館システム４０は、図１４に示すように、受信手段４０１と、更新手段４０２と、送信手段４０３と、図書館情報データベース４４と、図書館情報確認手段４０５と、を有している。
【００９１】
受信手段４０１は、認証サーバ３０から認証情報に基づく図書館情報の検索依頼を受信する。また、受信手段４０１は、認証サーバ３０から更新情報を受信する。
【００９２】
更新手段４０２は、受信した更新情報を基に図書館情報データベース４４への図書館情報更新処理を行う。更新する図書館情報には、利用者ＩＤ，氏名，性別，生年月日，住所，電話番号，住民票コードあるいはパスワードを含む。また、更新した図書館情報を基に利用証引替書および利用証を作成する。
【００９３】
送信手段４０３は、図書館情報の検索結果を認証サーバ３０に送信する。また、送信手段４０３は、ユーザ端末２０に利用証引替書を送信し、図書館端末５０に利用証を送信する。
【００９４】
図書館情報データベース４４は、図書館情報を格納する。図書館情報には、図８に例示するように、利用者ＩＤ，氏名，性別，生年月日，住所，電話番号，住民票コード，パスワードを含む。
【００９５】
図書館情報確認手段４０５は、認証情報（利用者ＩＤおよびパスワード）に基づき図書館情報データベース４４を検索し、一致する図書館情報が存在するか否かを確認する。
【００９６】
図書館端末５０は、図１５に示すように、受信手段５１と、入力手段５２と、利用証発行手段５３とを有し、第１の実施例における図書館端末５と同等である。
【００９７】
本発明の第２の実施の形態の動作について、図面を参照して詳細に説明する。
【００９８】
図１６を参照すると、利用者の更新情報（氏名・性別・生年月日・住所・住民票コード・電話番号等で更新する情報）と認証情報（利用者ＩＤおよびパスワード）とをユーザ端末２０から入力し、送信すると、認証サーバ３０が情報を受信する（ステップＢ１）。
【００９９】
認証サーバ３０は、図書館システム４０上の情報（利用者ＩＤ，パスワード）での検索・存在チェックを行う（ステップＢ２）。
【０１００】
存在チェックで問題がない場合（ステップＢ３の”ＹＥＳ”）、住民情報（住所・氏名等）の更新である場合、住民情報システム１０を検索し更新情報と同じか整合チェックを行う（ステップＢ４）。
【０１０１】
整合チェックに問題がない場合（ステップＢ５の”ＹＥＳ”）、更新情報から図書館システム４０が更新処理を行う（ステップＢ６）。
【０１０２】
図書館システム４０で更新されたあと、ユーザ端末２０には更新結果を送信する（ステップＢ７）。
【０１０３】
存在チェックでエラーとなった場合（ステップＢ３の”ＮＯ”）、また、住民情報での整合チェックでエラーとなった場合（ステップＢ５の”ＮＯ”）には、ユーザ端末２へ入力エラーのメッセージを返し、再入力を指示する（ステップＢ８）。
【０１０４】
以上により、本発明の第２の実施の形態の動作が完了する。
【０１０５】
本発明の第２の実施の形態は、利用者情報の更新申請に待ち時間を必要としないという効果を有している。
【０１０６】
その理由は、ユーザ端末からインターネット経由で利用者情報（更新情報）を送信するようにしたからである。
【０１０７】
また、本発明の第２の実施の形態は、利用者情報（更新情報）に記載ミスがなくなるという効果を有している。
【０１０８】
その理由は、利用者情報（更新情報）を自治体が保有する住民情報と照合してチェックするようにしたからである。
【産業上の利用可能性】
【０１０９】
本発明は、図書館における利用者登録・更新の簡素化といった用途に適用できる。また、施設予約システム等の公共機関の利用における利用者登録・更新の簡素化といった用途にも適用可能である。
【図面の簡単な説明】
【０１１０】
【図１】本発明の第１の実施の形態の構成を示すブロック図である。
【図２】本発明の第１の実施の形態における住民情報システムの構成を示図である。
【図３】本発明の第１の実施の形態におけるユーザ端末の構成を示す図である。
【図４】本発明の第１の実施の形態における認証サーバの構成を示す図である。
【図５】本発明の第１の実施の形態における図書館システムの構成を示す図である。
【図６】本発明の第１の実施の形態における図書館端末の構成を示す図である。
【図７】住民情報の例を示す図である。
【図８】図書館情報の例を示す図である。
【図９】本発明の第１の実施の形態の動作（利用者情報登録の場合）を示す流れ図である。
【図１０】本発明の第２の実施の形態の構成を示すブロック図である。
【図１１】本発明の第２の実施の形態における住民情報システムの構成を示す図である。
【図１２】本発明の第２の実施の形態におけるユーザ端末の構成を示す図である。
【図１３】本発明の第２の実施の形態における認証サーバの構成を示す図である。
【図１４】本発明の第２の実施の形態における図書館システムの構成を示す図である。
【図１５】本発明の第２の実施の形態における図書館端末の構成を示す図である。
【図１６】本発明の第２の実施の形態の動作（利用者情報更新の場合）を示す流れ図である。
【符号の説明】
【０１１１】
１    住民情報システム
２    ユーザ端末
３    認証サーバ
４    図書館システム
５    図書館端末
６    インターネット
７    イントラネット
１０    住民情報システム
１１    受信手段
１２    住民情報確認手段
１３    送信手段
１４    住民情報データベース
２０    ユーザ端末
２１    登録情報入力手段
２２    送信手段
２３    受信手段
３０    認証サーバ
３１    受信手段
３２    利用者確認手段
３３    送信手段
４０    図書館システム
４１    受信手段
４２    登録手段
４３    送信手段
４４    図書館情報データベース
５０    図書館端末
５１    受信手段
５２    入力手段
５３    利用証発行手段
１０１    受信手段
１０２    住民情報確認手段
２０１    更新情報入力手段
２０２    認証情報入力手段
２０３    送信手段
３０１    受信手段
３０２    利用者確認手段
３０３    送信手段
４０１    受信手段
４０２    更新手段
４０３    送信手段
４０５    図書館情報確認手段
【図１】
2008134810.tif 000003
【図２】
2008134810.tif 000004
【図３】
2008134810.tif 000005
【図４】
2008134810.tif 000006
【図５】
2008134810.tif 000007
【図６】
2008134810.tif 000008
【図７】
2008134810.tif 000009
【図８】
2008134810.tif 000010
【図９】
2008134810.tif 000011
【図１０】
2008134810.tif 000012
【図１１】
2008134810.tif 000013
【図１２】
2008134810.tif 000014
【図１３】
2008134810.tif 000015
【図１４】
2008134810.tif 000016
【図１５】
2008134810.tif 000017
【図１６】
2008134810.tif 000018